(57)【要約】【課題】節水化により洗浄水量が低減された場合であっても、背負い水の量を増加して汚物を確実に搬送することができる排水ソケットおよび水洗大便器を提供する。【解決手段】便器本体のトラップ出口と建物配管とを接続する排水ソケットであって、前記便器本体のトラップ出口から供給された汚物を含む洗浄水を、前記汚物を相対的に多く含む第１の洗浄水と、前記第１の洗浄水よりも含まれる前記汚物が相対的に少ない第２の洗浄水とに分流する分流手段と、前記第１の洗浄水と前記第２の洗浄水とを合流部で合流させる合流手段と、前記分流手段によって同じタイミングで分流された前記第１の洗浄水と前記第２の洗浄水のうち、前記第２の洗浄水の方が前記第１の洗浄水よりも遅れて前記合流部に到達するよう調整する合流タイミング調整手段と、を備えている。【選択図】図３
2018044428.tif 000002
【特許請求の範囲】
【請求項１】
便器本体のトラップ出口と建物配管とを接続する排水ソケットであって、
前記便器本体のトラップ出口から供給された汚物を含む洗浄水を、前記汚物を相対的に多く含む第１の洗浄水と、前記第１の洗浄水よりも含まれる前記汚物が相対的に少ない第２の洗浄水とに分流する分流手段と、
前記第１の洗浄水と前記第２の洗浄水とを合流部で合流させる合流手段と、
前記分流手段によって同じタイミングで分流された前記第１の洗浄水と前記第２の洗浄水のうち、前記第２の洗浄水の方が前記第１の洗浄水よりも遅れて前記合流部に到達するよう調整する合流タイミング調整手段と、
を備えていることを特徴とする排水ソケット。
【請求項２】
前記便器本体のトラップ出口から前記建物配管までを連通し前記汚物を搬送する洗浄水と前記汚物とが流れる主流路と、
前記主流路から分岐し前記主流路に再合流する分流路と、
前記分流路への前記汚物の進入を抑制する汚物進入抑制手段とを備え、
前記分流手段が、前記汚物を排出する洗浄水のうち前記汚物より先行する先行洗浄水の少なくとも一部を分流洗浄水として前記主流路から前記分流路に分流し、
前記合流タイミング調整手段が、前記便器本体のトラップ出口から前記建物配管までを連通すると共に途中で前記分流路を経由する、前記主流路より流路長の長い副流路であることを特徴とする請求項１に記載の排水ソケット。
【請求項３】
前記主流路と連通する前記分流路の入口が、前記主流路と連通する前記分流路の出口より前記主流路の下流側に配置されていることを特徴とする請求項２に記載の排水ソケット。
【請求項４】
前記主流路と連通する前記分流路の入口が、前記主流路と連通する前記分流路の出口より前記主流路の上流側に配置されていることを特徴とする請求項２に記載の排水ソケット。
【請求項５】
前記主流路が、管部材により形成され、
前記分流路が、前記主流路を形成する管部材の側方に配置されていることを特徴とする請求項２乃至請求項４のいずれか１項に記載の排水ソケット。
【請求項６】
前記分流路の入口が、前記主流路の上流側に向けて開口していることを特徴とする請求項２乃至請求項５のいずれか1項に記載の排水ソケット。
【請求項７】
前記分流路の入口が、前記先行洗浄水の流れ方向と直交する方向に向けて開口していることを特徴とする請求項２乃至請求項６のいずれか1項に記載の排水ソケット。
【請求項８】
前記分流手段が、コアンダ効果により前記洗浄水を偏向するガイドであることを特徴とする請求項２乃至請求項７のいずれか１項に記載の排水ソケット。
【請求項９】
前記分流路の入口の下端の高さが、前記分流路の出口の下端の高さ以上であり、
前記分流路の内部が、下り傾斜あるいは水平な底面によって形成されていることを特徴とする請求項２乃至請求項８のいずれか1項に記載の排水ソケット。
【請求項１０】
前記合流タイミング調整手段が、前記分流洗浄水を減速させる減速手段を前記分流路内に有していることを特徴とする請求項１乃至請求項９のいずれか１項に記載の排水ソケット。
【請求項１１】
請求項１乃至請求項１０のいずれか１項に記載された排水ソケットを備えている水洗大便器。
【発明の詳細な説明】
【技術分野】
【０００１】
本発明は、便器本体のトラップ出口と建物配管とを接続して便器本体のボウル部内の汚物を排出する排水ソケットに関する。
【背景技術】
【０００２】
従来、水洗大便器の便器本体の排水路と床下排水管を接続する排水ソケットとして、便器本体の排水路の出口部に接続される便器本体側接続管部材と、床下排水管の入口部と接続され屈曲管路を備えた床下側接続管部材と、便器本体側接続管部材と床下側接続管部材を接続するほぼ直線状に延びる中間管部材と、を有する排水ソケットが知られている（例えば、特許文献１）。
【０００３】
このような排水ソケットにおいて、便器本体のボウル部内の汚物を便器本体から排出する際、まず、ボウル部に貯留された一部の洗浄水（先行洗浄水）が、汚物に先行して、排水ソケット内を流れ、建物配管に排出される。
その後、汚物より後に流れることにより汚物搬送を行なう洗浄水（背負い水）が、排水ソケット内を流れ、背負い水と共に汚物が建物配管に排出される。
【先行技術文献】
【特許文献】
【０００４】
【特許文献１】特開２０１１−１７９１８７号公報
【発明の概要】
【発明が解決しようとする課題】
【０００５】
洗浄水の節水化を行なった場合、汚物を搬送するための洗浄水の総量は減少する。
すなわち、汚物より後に流れることにより汚物搬送を行なう洗浄水（背負い水）の量も減少する。
このような状況下では、排水ソケットから建物配管に排出された汚物が建物配管の水平部に到達したとき、背負い水の量が少なくなっているので汚物を搬送できる距離が短くなってしまうため、汚物の搬送能力については更なる改善の余地がある。
【０００６】
そこで、本発明は、前述したような従来技術の問題を解決するものであって、すなわち、本発明の目的は、節水化により洗浄水量が低減された場合であっても、背負い水の量を増加して汚物を確実に搬送することができる排水ソケットおよび水洗大便器を提供することである。
【課題を解決するための手段】
【０００７】
請求項１に係る発明は、便器本体のトラップ出口と建物配管とを接続する排水ソケットであって、前記便器本体のトラップ出口から供給された汚物を含む洗浄水を、前記汚物を相対的に多く含む第１の洗浄水と、前記第１の洗浄水よりも含まれる前記汚物が相対的に少ない第２の洗浄水とに分流する分流手段と、前記第１の洗浄水と前記第２の洗浄水とを合流部で合流させる合流手段と、前記分流手段によって同じタイミングで分流された前記第１の洗浄水と前記第２の洗浄水のうち、前記第２の洗浄水の方が前記第１の洗浄水よりも遅れて前記合流部に到達するよう調整する合流タイミング調整手段と、を備えていることにより、前述した課題を解決するものである。
【０００８】
このように構成された請求項１に係る発明の排水ソケットによれば、便器本体のトラップ出口から供給された汚物を含む洗浄水を、汚物を相対的に多く含む第１の洗浄水と、第１の洗浄水よりも含まれる汚物が相対的に少ない第２の洗浄水とに分流する分流手段と、第１の洗浄水と第２の洗浄水とを合流部で合流させる合流手段と、分流手段によって同じタイミングで分流された第１の洗浄水と第２の洗浄水のうち、第２の洗浄水の方が第１の洗浄水よりも遅れて合流部に到達するよう調整する合流タイミング調整手段と、を備えていることにより、分流手段によって汚物が相対的に多い第１の洗浄水と同じタイミングで分流された汚物が相対的に少ない第２の洗浄水を、第１の洗浄水よりも遅らせて合流させる。
すなわち、汚物に先行する先行洗浄水を遅らせて、汚物に後行する背負い水に合流可能となるため、先行洗浄水を汚物搬送に利用でき、節水と高い汚物搬送性能を両立させることができる。
【０００９】
請求項２に係る発明は、請求項１に記載された排水ソケットの構成に加えて、前記便器本体のトラップ出口から前記建物配管までを連通し前記汚物を搬送する洗浄水と前記汚物とが流れる主流路と、前記主流路から分岐し前記主流路に再合流する分流路と、前記分流路への前記汚物の進入を抑制する汚物進入抑制手段とを備え、前記分流手段が、前記汚物を排出する洗浄水のうち前記汚物より先行する先行洗浄水の少なくとも一部を分流洗浄水として前記主流路から前記分流路に分流し、前記合流タイミング調整手段が、前記便器本体のトラップ出口から前記建物配管までを連通すると共に途中で前記分流路を経由する、前記主流路より流路長の長い副流路であることにより、前述した課題を解決するものである。
【００１０】
このように構成された請求項２に係る発明の排水ソケットによれば、請求項１に係る発明が奏する効果に加え、副流路の流路長が、主流路の流路長より長いことにより、副流路に流入した分流洗浄水は、分流路を経由することで主流路を通る汚物よりも長い流路を通るため、分流洗浄水の主流路に合流するタイミングが調整されて、副流路に流入した分流洗浄水が背負い水に転換され、汚物の搬送性能を向上させることができる。
また、分流路は先行洗浄水を背負い水に転換するための手段であり、分流路に汚物が進入してしまうと、汚物も合流タイミングが調整されてしまうため、先行洗浄水を背負い水に転換できない。
そこで、分流路への汚物の進入を抑制する汚物進入抑制手段が形成されていることにより、確実に分流路への汚物の進入が抑制されるため、確実に背負い水の量を増加させることができる。
【００１１】
請求項３に係る発明は、請求項２に記載された排水ソケットの構成に加えて、前記主流路と連通する前記分流路の入口が、前記主流路と連通する前記分流路の出口より前記主流路の下流側に配置されていることにより、前述した課題を解決するものである。
【００１２】
このように構成された請求項３に係る発明の排水ソケットによれば、請求項２に係る発明が奏する効果に加え、主流路と連通する分流路の入口が、主流路と連通する分流路の出口より主流路の下流側に配置されていることにより、先行洗浄水の少なくとも一部が副流路に流入した場合、分流路の流路長だけ分流洗浄水が上流に戻る一方、汚物は主流路を下流側に向かって流れるため、分流洗浄水と汚物との間の距離を稼ぐことができ、より確実に先行洗浄水を背負い水に転用させることができる。
【００１３】
請求項４に係る発明は、請求項２に記載された排水ソケットの構成に加えて、前記主流路と連通する前記分流路の入口が、前記主流路と連通する前記分流路の出口より前記主流路の上流側に配置されていることにより、前述した課題を解決するものである。
【００１４】
このように構成された請求項４に係る発明の排水ソケットによれば、請求項２に係る発明が奏する効果に加え、主流路と連通する分流路の入口が、主流路と連通する分流路の出口より主流路の上流側に配置されていることにより、主流路を流れる洗浄水が副流路内に流入する際の流路抵抗が少なくなり、副流路への流入時の分流洗浄水の流速を副流路への流入直前の先行洗浄水の流速に保てるため、分流路をより長く形成することができる。
【００１５】
請求項５に係る発明は、請求項２乃至請求項４のいずれか１項に記載された排水ソケットの構成に加えて、前記主流路が、管部材により形成され、前記分流路が、前記主流路を形成する管部材の側方に配置されていることにより、前述した課題を解決するものである。
【００１６】
背負い水の量を増加させるためには、長い分流路を確保すればよい。
一般に、排水ソケットは水洗大便器の底部に設置されているが、高さ方向については水洗大便器のボウル部やトラップ部との干渉してしまうため、高さ方向で分流路の流路長を確保することは難しい。
そして、排水ソケットの側方については、水洗大便器の袴部があるのみで、排水ソケットと水洗大便器の袴部との間の距離は、排水ソケットと水洗大便器のボウル部やトラップ部との間の距離より大きく、排水ソケットの側方はデッドスペースとなっていた。
そこで、上述のように構成された請求項５係る発明の排水ソケットによれば、請求項２乃至請求項４のいずれか１項に係る発明が奏する効果に加え、分流路が、主流路を形成する管部材の側方に配置されていることにより、水洗大便器との隙間が比較的大きい主流路の側方空間を活用するため、分流路をより長く形成することができる。
【００１７】
請求項６に係る発明は、請求項２乃至請求項５のいずれか１項に記載された排水ソケットの構成に加えて、前記分流路の入口が、前記主流路の上流側に向けて開口していることにより、前述した課題を解決するものである。
【００１８】
このように構成された請求項６に係る発明の排水ソケットによれば、請求項２乃至請求項５のいずれか１項に係る発明が奏する効果に加え、分流路の入口が、主流路の上流側に向けて開口していることにより、分流路の入口が、先行洗浄水の流れ方向に対して開口するため、先行洗浄水をより多く分流路に取り込み、背負い水の量を増加させることができる。
【００１９】
請求項７に係る発明は、請求項２乃至請求項６のいずれか１項に記載された排水ソケットの構成に加えて、前記分流路の入口が、前記先行洗浄水の流れ方向と直交する方向に向けて開口していることにより、前述した課題を解決するものである。
【００２０】
一般に水は自身の粘性により、流路底面との間で速度勾配を有している。
この速度勾配により、水は流れ方向以外の方向にも拡散する性質がある。
そこで、上述のように構成された請求項７に係る発明の排水ソケットによれば、請求項２乃至請求項６のいずれか1項に係る発明が奏する効果に加え、分流路の入口が、先行洗浄水の流れ方向と直交する方向に向けて開口していることにより、先行洗浄水が主流路内を拡散して分流路の入口に行き渡る一方で、汚物は自らの慣性力のため洗浄水の流れに沿って主流路を移動するため、簡便な方法で分流路への汚物の進入を防ぐことができる。
【００２１】
請求項８に係る発明は、請求項２乃至請求項７のいずれか１項に記載された排水ソケットの構成に加えて、前記分流手段が、コアンダ効果により前記洗浄水を偏向するガイドであることにより、前述した課題を解決するものである。
【００２２】
このように構成された請求項８に係る発明の排水ソケットによれば、請求項２乃至請求項７のいずれか１項に係る発明が奏する効果に加え、分流手段が、コアンダ効果により洗浄水を偏向するガイドであることにより、洗浄水のみがガイドに引き寄せられるため、より効率的に分流路に先行洗浄水の少なくとも一部を誘導することができる。
【００２３】
請求項９に係る発明は、請求項２乃至請求項８のいずれか１項に記載された排水ソケットの構成に加えて、前記分流路の入口の下端の高さが、前記分流路の出口の下端の高さ以上であり、前記分流路の内部が、下り傾斜あるいは水平な底面によって形成されていることにより、前述した課題を解決するものである。
【００２４】
分流路の内部に上り傾斜が存在すると、分流洗浄水が上り傾斜を通過できない可能性がある。
そこで、上述のように構成された請求項９に係る発明の排水ソケットによれば、請求項２乃至請求項８のいずれか1項に係る発明が奏する効果に加え、分流路の入口の下端の高さが、分流路の出口の下端の高さ以上であり、分流路の内部が、下り傾斜あるいは水平な底面によって形成されていることにより、分流路内で上り傾斜が存在しないため、分流路内で下に凸な箇所が形成されず、入口から分流路に入った水をすべて出口に伝えることができる。
【００２５】
請求項１０に係る発明は、請求項１乃至請求項９のいずれか１項に記載された排水ソケットの構成に加えて、前記合流タイミング調整手段が、前記分流洗浄水を減速させる減速手段を前記分流路内に有していることにより、前述した課題を解決するものである。
【００２６】
このように構成された請求項１０に係る発明の排水ソケットによれば、請求項１乃至請求項９のいずれか１項に係る発明が奏する効果に加え、合流タイミング調整手段が、分流洗浄水を減速させる減速手段を分流路内に有していることにより、分流路内で分流洗浄水が減速されて、分流洗浄水が主流路に戻るタイミングが遅れるため、分流洗浄水を確実に背負い水に転換させることができる。
【００２７】
請求項１１に係る発明は、請求項１乃至請求項１０のいずれか１項に記載された排水ソケットを備えていることにより、前述した課題を解決するものである。
【発明の効果】
【００２８】
本発明によれば、先行洗浄水の少なくとも一部が汚物より上流側に回って背負い水に転換させ、汚物の搬送性能を向上させることができる。
【図面の簡単な説明】
【００２９】
【図１】本発明の第１実施形態である排水ソケットを備えた水洗大便器の側面断面図。
【図２】本発明の第１実施形態である排水ソケットの一部断面斜視図。
【図３】図１のＩＩＩ−ＩＩＩ断面図。
【図４】本発明の第１実施形態である排水ソケットにおける洗浄水の流れの様子を示す図。
【図５】本発明の第１実施形態である排水ソケットにおける流路長を示す模式図。
【図６】本発明の第２実施形態である排水ソケットの一部断面斜視図。
【図７】本発明の第２実施形態である排水ソケットの要部拡大平面断面図。
【図８】本発明の第２実施形態である排水ソケットにおける流路長を示す模式図。
【発明を実施するための形態】
【００３０】
＜１．第一実施形態＞
図１乃至図４に基づいて、本発明の第１実施形態である排水ソケット１００について説明する。
【００３１】
＜１．１．水洗大便器の構造＞
まず、図１乃至図３に基づいて、本発明の第１実施形態である排水ソケット１００および排水ソケット１００を備える水洗大便器の構造について説明する。
図１は本発明の第１実施形態である排水ソケットを備えた水洗大便器の側面断面図であり、図２は本発明の第１実施形態である排水ソケットの一部断面斜視図であり、図３は図２のＩＩＩ−ＩＩＩ断面図である。
なお、排水ソケット１００の長手方向を「前後方向」とし、前後方向と鉛直方向とにより形成される平面と直交する方向（すなわち、排水ソケット１００の幅方向）を「左右方向」とする。
【００３２】
図１に示すように、水洗大便器ＦＴは、便器本体Ｔと、便器本体Ｔに接続される排水ソケット１００とを備えている。
便器本体Ｔは、汚物が堆積するボウル部Ｔｂと、ボウル部Ｔｂの底部でボウル部Ｔｂと連通しているトラップ部Ｔｔとを有している。
トラップ部Ｔｔの出口（トラップ出口）Ｔｏは、床Ｆ（すなわち鉛直下方）に向けて開口している。
【００３３】
このトラップ出口Ｔｏと排水ソケット１００の一端とが連通しており、排水ソケット１００の他端は床Ｆに設けられた建物配管Ｐに接続されている。
【００３４】
＜１．２．排水ソケットの構造＞
図２に示すように、排水ソケット１００は、入口側屈曲管部材１１０、平行管部材１２０、出口側屈曲管部材１３０の３部材により構成されている。
そして、入口側屈曲管部材１１０の入口（すなわち、トラップ出口Ｔｏ）から出口側屈曲管部材１３０のソケット出口１３３までを繋ぐ流路を主流路ＭＳとする。
便器本体Ｔのボウル部Ｔｂ内の汚物はこの主流路ＭＳを通る。
なお、本発明における「汚物」とは、例えば、ＪＩＳ  Ｐ  ４５０１：２００６（トイレットペーパー）に示すシングルペーパー又はそれと同等のトイレットペーパ−９０ｃｍを８折りしてほぼ正方形としたものを４枚重ねたものを指す。
【００３５】
図１および図２に示すように、入口側屈曲管部材１１０は、側面視で略Ｌ字状の管状部材である。
入口側屈曲管部材１１０は、便器本体Ｔのトラップ出口Ｔｏから流入した洗浄水を床Ｆに設けられた建物配管Ｐへ排出するために、便器本体Ｔのトラップ出口Ｔｏから流入した洗浄水の向きを鉛直方向から水平方向に偏向する部材である。
そして、入口側屈曲管部材１１０は、便器本体Ｔのトラップ出口Ｔｏに向けて開口している垂直管路領域１１１と、垂直管路領域１１１と直結して鉛直方向の流れを水平方向に偏向する屈曲領域１１２とから区画されている。
【００３６】
図１乃至図３に示すように、平行管部材１２０は、水平方向に延びる楕円管であり、入口側屈曲管部材１１０と、後述する出口側屈曲管部材１３０とを接続している。
【００３７】
図１および図２に示すように、出口側屈曲管部材１３０は、平面視で略Ｕ字状であり、平行管部材１２０から流入した洗浄水Ｗを床Ｆに設けられた建物配管Ｐへ排出するために、平行管部材１２０から流入した洗浄水Ｗの流れの向きを水平方向から鉛直方向に偏向する部材である。
【００３８】
＜１．３．出口側屈曲管部材の詳細構造＞
続いて、出口側屈曲管部材１３０の詳細な構造について説明する。
図３に示すように、出口側屈曲管部材１３０は平行管部材１２０との接続される入口部１３１の中心を通るＡ−Ａ線に対して、側方拡張部１３２が左右対称に形成されている。
【００３９】
入口部１３１の近傍には、建物配管Ｐと連通するソケット出口１３３が鉛直下方に向けて開口されている。
また、このソケット出口１３３の左右方向の中心もＡ−Ａ線上に配置されている。
【００４０】
側方拡張部１３２は、入口部１３１の左右側方に配置されている。
排水ソケットの側方については、水洗大便器の袴部があるのみで、排水ソケットと水洗大便器の袴部との間の距離は、排水ソケットと水洗大便器のボウル部やトラップ部との間の距離より大きく、従来はデットスペースとみなされていた。
そこで本実施形態では、このデットスペースに着目し、出口側屈曲管部材１３０に側方拡張部１３２を配置した。
【００４１】
側方拡張部１３２は水平管部材１２０と略平行に前後方向に延びており、前後方向の長さが側方拡張部１３２の鉛直方向の長さより長くなっている。
そして、側方拡張部１３２の底面は後端部に向けて下り傾斜となっている。
【００４２】
また、側方拡張部１３２の後端側は、平行管部材１２０と連通する連通路１３２ａが形成されている。
この連通路１３２ａは、平行管部材１２０に向けて底面が下り傾斜となっている。
【００４３】
ソケット出口１３３の左右側方には、ガイド１３４がそれぞれ形成されている。
ガイド１３４は、平面視で概ね楔状であり、前方に向けて先細になっている。
さらに、ガイド１３４の左右側面は、左右方向に向けて湾曲しつつ、外方に向けて膨出している。
【００４４】
ソケット出口１３３の前方には、板状の突出部１３５が形成されている。
突出部１３５の左右方向の中心もＡ−Ａ線上に配置されている。
すなわち、入口部１３１の左右方向の中心とソケット出口１３３の左右方向の中心と突出部１３５の左右方向の中心とは同一直線（Ａ−Ａ線）上に存在している。
【００４５】
＜１．４．洗浄水の挙動＞
次に図１および図４を用いて、本発明の第１実施形態である排水ソケット１００における洗浄水の挙動について説明する。
図４は、本発明の第１実施形態である排水ソケット１００における洗浄水の流れの様子を示す図である。
なお、排水ソケット１００は、左右方向の中心線Ａ−Ａを中心にして左右対称であるため、片側（右側）のみ流線を示す。
【００４６】
＜１．４．１．先行洗浄水の挙動＞
まず、先行洗浄水の挙動について説明する。
図１および図４に示すように、出口側屈曲管部材１３０の中央（Ａ−Ａ線）付近に流入した洗浄水Ｗｃは、平行管部材１２０を直進した後、突出部１３５への衝突により運動方向が反転し、ソケット出口１３３に向かって落下する。
【００４７】
次に、出口側屈曲管部材１３０の中央（Ａ−Ａ線）付近から最も遠い位置（換言すると最もガイド１３４に近い位置）を流れる洗浄水Ｗｏの挙動について説明する。
図４に示すように、洗浄水Ｗｏは、コアンダ効果によりガイド１３４に引き寄せられ、流れの方向がガイド１３４側に偏向されて側方拡張部１３２へ流れる。
【００４８】
次に、出口側屈曲管部材１３０の中央（Ａ−Ａ線）付近から最も遠い位置を流れる洗浄水Ｗｏと、Ａ−Ａ線付近を流れる洗浄水Ｗｃとの間を流れる洗浄水Ｗ１の挙動について説明する。
洗浄水Ｗ１もガイド１３４により、ガイド１３４の表面の湾曲に対応して偏向されつつ、ソケット出口１３３を飛び越えて側方拡張部１３２へ流れる。
このとき、ソケット出口１３３の上を通過する際、重力により一部の洗浄水はソケット出口１３３へと落下する。
【００４９】
以上説明したように、先行洗浄水は、一部がソケット出口１３３に向かって流れるものと、ガイド１３４側に偏向された後に分流洗浄水としてガイド１３４と突出部１３５との間から側方拡張部１３２へ分流されるものに大別される。
ここで、ガイド１３４の先端と突出部１３５の先端とを繋ぐ面が、側方拡張部１３２の入口（側方拡張部入口）１３２ｂになる。
【００５０】
そして、側方拡張部入口１３２ａから側方拡張部１３２に流入した洗浄水は、側方拡張部１３２の底面の下り傾斜により、後端部に向かって流れる。
【００５１】
＜１．４．２．汚物を含む洗浄水の挙動＞
続いて、汚物Ｅを含む洗浄水の挙動について説明する。
図１および図４に示すように、出口側屈曲管部材１３０の中央（Ａ−Ａ線）付近に流入した汚物Ｅを含む洗浄水Ｗｃは、突出部１３５への衝突により運動方向が反転し、ソケット出口１３３に向かって落下する。
次に、出口側屈曲管部材１３０の中央（Ａ−Ａ線）付近から最も遠い位置を流れる洗浄水ＷｏおよびＡ−Ａ線付近を流れる洗浄水Ｗｃとの間を流れる洗浄水Ｗ１については、先行洗浄水の挙動と同一であり、一部が分流洗浄水として側方拡張部１３２内に流入する。
側方拡張部１３２内に流入した分流洗浄水の挙動は先行洗浄水の挙動と同一である。
【００５２】
なお、汚物Ｅが連通路１３２ａよりも下流側に到達したタイミングで、分流洗浄水が後端側に設けられた連通路１３２ａから平行管部材１２０に流出する。
すなわち、側方拡張部１３２は、主流路ＭＳから分岐した後に主流路ＭＳに再合流する分流路ＤＳを形成している。
【００５３】
＜１．４．３．背負い水の挙動＞
続いて、汚物Ｅより後に流れる背負い水（特に便器本体から供給される背負い水）の挙動について説明する。
出口側屈曲管部材１３０の中央（Ａ−Ａ線）付近に流入した洗浄水Ｗｃ、出口側屈曲管部材１３０の中央（Ａ−Ａ線）付近から最も遠い位置を流れる洗浄水ＷｏおよびＡ−Ａ線付近を流れる洗浄水Ｗｃとの間を流れる洗浄水Ｗ１、先行洗浄水の挙動と同一であり、一部が分流洗浄水として側方拡張部１３２内に流入する。
側方拡張部１３２内に流入した分流洗浄水の挙動は先行洗浄水の挙動と同一である。
【００５４】
＜１．５．各部位の機能＞
ソケット出口１３３を通過することで、ソケット出口１３３に直接落下する汚物を相対的に多く含む第１の洗浄水と、側方拡張部１３２に流入する第１の洗浄水よりも汚物が相対的に少ない第２の洗浄水とに分流される。
換言すると、ソケット出口１３３を通過することで、洗浄水をソケット出口１３３に流出する洗浄水と、側方拡張部１３２へと流れる分流洗浄水とに分流される。
したがって、ソケット出口１３３は、分流手段Ｄとして機能する。
【００５５】
さらに、ガイド１３４は洗浄水を偏向させ側方拡張部１３２へ導いている。
したがって、ガイド１３４も、分流手段Ｄとして機能する。
【００５６】
また、相対的に第１の洗浄水よりも含まれる汚物が少ない第２の洗浄水は、連通路１３２ａを通って主流路ＭＳを流れる汚物を相対的に多く含む第１の洗浄水と合流する。
したがって、連通路１３２ａは合流手段Ｃとして機能する。
また、連通路１３２ａの終端が合流部Ｊである。
【００５７】
ここで、本発明の第１実施形態である排水ソケット１００における流路長を示す模式図である図５を用いて、流路長について説明する。
図５に示すように、主流路ＭＳの流路長ＬＭは、便器本体Ｔのトラップ出口Ｔｏから連通路１３２ａとの合流部Ｊまでの距離Ｌ１と、連通路１３２ａとの合流部Ｊからソケット出口１３３までの距離Ｌ２との和で表される（すなわち、ＬＭ＝Ｌ１＋Ｌ２）。
一方、便器本体Ｔのトラップ出口Ｔｏから建物配管Ｐ（ソケット出口１３３）までを連通すると共に途中で分流路ＤＳを経由する流路を副流路ＳＳと定義した場合、副流路ＳＳの流路長ＬＳは、主流路ＭＳの流路長ＬＭはソケット入口（図示せず）から連通路１３２ａとの合流部Ｊまでの距離Ｌ１と、連通路１３２ａとの合流部Ｊから側方拡張部入口１３２ｂまでの距離Ｌ２１と、分流路ＤＳの距離Ｌ３と、連通路１３２ａとの合流地点からソケット出口１３３までの距離Ｌ２の和で表される（すなわち、ＬＳ＝Ｌ１＋Ｌ２１＋Ｌ３＋Ｌ２）。
したがって、主流路ＭＳの流路長ＬＭと副流路ＳＳの流路長ＬＳとを比較すると、副流路ＳＳの流路長ＬＳの方がＬ２１＋Ｌ３の分だけ、流路長が長い。
【００５８】
また、分流洗浄水（第２の洗浄水）が側方膨張部１３２を通ることで、主流路ＭＳを流れる第１の洗浄水との合流タイミングが調整される、と換言することができる。
したがって、側方膨張部１３２が合流タイミング調整手段ＣＴＡとして機能する。
【００５９】
上述のように分流路ＤＳおよび副流路ＳＳを定義したことにより、分流路ＤＳの入口ＤＳｉ（すなわち、側方拡張部入口１３２ｂ）が、分流路ＤＳの出口ＤＳｏ（すなわち、連通路１３２ａの終端）より下流側に配置されている。
また、分流路ＤＳは側方膨張部１３２内部に形成されており、側方膨張部１３２は管状であるため、分流路ＤＳは管部材により形成されていると換言することができる。
さらに、分流路ＤＳは主流路ＭＳの左右方向における側方に配置されている。
【００６０】
また、分流路ＤＳの入口（側方拡張部入口１３２ｂ）の開口方向Ｍは、主流路ＭＳの上流側に向けて開口している。
図３に示すように、分流路ＤＳの出口ＤＳｏ（すなわち、連通路１３２ａ）の開口方向Ｎは、主流路ＭＳにおける流れの向きと直交している。
これにより、主流路ＭＳから分流路ＤＳの出口ＤＳｏに向かって洗浄水が流入しにくくなっている。
【００６１】
また、分流路ＤＳの入口ＤＳｉ（側方拡張部入口１３２ｂ）の高さは、分流路ＤＳの出口ＤＳｏ（すなわち、連通路１３２ａ）の高さ以上となるように形成されている。
さらに、分流路ＤＳの内部は下り傾斜となっている。
【００６２】
汚物Ｅは水より質量が大きく、流路の底面との間で発生する摩擦力も水より大きい。
したがって、ソケット出口１３３に到達した際に、汚物Ｅの飛距離は洗浄水より短く、汚物Ｅが洗浄水と共にソケット出口１３３を跨げずに直接ソケット出口１３３に落下する場合がある。
この場合、ソケット出口１３３は、汚物Ｅが貯水部１３２へ進入することを抑制する汚物進入抑制手段Ｒとして機能する。
【００６３】
さらに、汚物Ｅはある程度の大きさを持っているため、この汚物が主流路ＭＳを流れてソケット出口１３３を通過したときに、突出部１３５への衝突により運動方向が反転し、ソケット出口１３３に向かって落下する。
すなわち、突出部１３５も、汚物Ｅが側方拡張部１３２へ進入することを抑制する汚物進入抑制手段Ｒとして機能する。
【００６４】
＜１．６．第１実施形態の変形例＞
本実施形態において、排水ソケット１００は３部材から構成されていたが、排水ソケット１００の外形が同じであれば、部材点数を増やしたり（例えば、入口側屈曲管部材１１０を垂直管部材（垂直管路領域１１１に相当）とエルボ（屈曲領域１１２に相当）に分ける）、部材点数を減らしたり（例えば、入口側屈曲管部材１１０と平行管部材１３０とを一体成形する）してもよい。
【００６５】
また、側方膨張部１３２は、入口部１３１の左右にそれぞれ配置されているが、入口部１３１の左方あるいは右方の一方に配置されていてもよい。
さらに、左右それぞれの側方拡張部１３２の外形は、非対称であってもよい。
【００６６】
分流路ＤＳの内部の底面は、上り傾斜がなければ、下り傾斜と水平面の組み合わせであってもよい。
【００６７】
本実施形態においては、連通路１３２ａの開口方向Ｎは主流路ＭＳに対して直交していたが、主流路ＭＳの下流側に向けて開口してもよい（すなわち、連通路１３２ａの開口方向Ｎが主流路ＭＳと交差する。）。
【００６８】
分流手段Ｄは、ソケット出口１３３だけであってもよい（すなわち、ガイド１３４を設けなくてもよい）。
【００６９】
汚物進入手段Ｒは、ソケット出口１３３だけであってもよい（すなわち、突出部１３５を設けなくてもよい）。
【００７０】
＜１．７．作用効果＞
このようにして得られた本発明の第１実施形態である排水ソケット１００は、便器本体Ｔのトラップ出口Ｔｏから供給された汚物Ｅを含む洗浄水を、汚物Ｅを相対的に多く含む第１の洗浄水と、第１の洗浄水よりも含まれる汚物Ｅが相対的に少ない第２の洗浄水とに分流する分流手段Ｄと、第１の洗浄水と第２の洗浄水とを合流部Ｊで合流させる合流手段Ｃと、分流手段Ｃによって同じタイミングで分流された第１の洗浄水と第２の洗浄水のうち、第２の洗浄水の方が第１の洗浄水よりも遅れて合流部Ｊに到達するよう調整する合流タイミング調整手段ＣＴＡと、を備えていることにより、分流手段Ｄによって汚物Ｅが相対的に多い第１の洗浄水と同じタイミングで分流された汚物Ｅが相対的に少ない第２の洗浄水を、第１の洗浄水よりも遅らせて合流させる。
すなわち、汚物Ｅに先行する先行洗浄水を遅らせて、汚物Ｅに後行する背負い水に合流可能となるため、先行洗浄水を汚物搬送に利用でき、節水と高い汚物搬送性能を両立させることができる。
【００７１】
また、副流路ＳＳの流路長が、主流路ＭＳの流路長より長いことにより、副流路ＳＳに流入した分流洗浄水は、分流路ＤＳを経由することで主流路ＭＳを通る汚物Ｅよりも長い流路を通るため、分流洗浄水の主流路ＭＳに合流するタイミングが調整されて、副流路ＳＳに流入した分流洗浄水が背負い水に転換され、汚物Ｅの搬送性能を向上させることができる。
また、分流路ＤＳは先行洗浄水を背負い水に転換するための手段であり、分流路ＤＳに汚物Ｅが進入してしまうと、汚物Ｅも合流タイミングが調整されてしまうため、先行洗浄水を背負い水に転換できない。
そこで、分流路ＤＳへの汚物Ｅの進入を抑制する汚物進入抑制手段Ｒが形成されていることにより、確実に分流路ＤＳへの汚物Ｅの進入が抑制されるため、確実に背負い水の量を増加させることができる。
【００７２】
さらに主流路ＭＳと連通する分流路ＤＳの入口（分流路入口）ＤＳｉが、主流路ＭＳと連通する分流路ＤＳの出口（分流路出口）ＤＳｏより主流路ＭＳの下流側に配置されていることにより、先行洗浄水の少なくとも一部が副流路ＳＳに流入した場合、分流路ＤＳの流路長だけ分流洗浄水が上流に戻る一方、汚物Ｅは主流路ＭＳを下流側に向かって流れるため、分流洗浄水と汚物Ｅとの間の距離を稼ぐことができ、より確実に先行洗浄水を背負い水に転用させることができる。
【００７３】
また、分流路ＤＳが、主流路ＭＳを形成する管部材の側方に配置されていることにより、水洗大便器ＦＴとの隙間が比較的大きい主流路ＭＳの側方空間を活用するため、分流路ＤＳをより長く形成することができる。
【００７４】
さらに分流路ＤＳの分流路入口ＤＳｉが、主流路ＭＳの上流側に向けて開口していることにより、分流路ＤＳの分流路入口ＤＳｉが、先行洗浄水の流れ方向に対して開口するため、先行洗浄水をより多く分流路ＤＳに取り込み、背負い水の量を増加させることができる。
【００７５】
さらに分流手段Ｄが、コアンダ効果により洗浄水を偏向するガイド１３４であることにより、洗浄水のみがガイド１３４に引き寄せられるため、より効率的に分流路ＤＳに先行洗浄水の少なくとも一部を誘導することができる。
【００７６】
また、分流路ＤＳの分流路入口ＤＳｉの下端の高さが、分流路ＤＳの分流路出口ＤＳｏの下端の高さ以上であり、分流路ＤＳの内部が、下り傾斜あるいは水平な底面によって形成されていることにより、分流路ＤＳ内で上り傾斜が存在しないため、分流路ＤＳ内で下に凸な箇所が形成されず、分流路入口ＤＳｉから分流路ＤＳに入った水をすべて分流路出口ＤＳｏに伝えることができる。
【００７７】
＜２．第２実施形態＞
続いて、図６乃至図８に基づいて、本発明の第２実施形態である排水ソケット２００について説明する。
図６は本発明の第２実施形態である排水ソケットの一部断面斜視図であり、図７は本発明の第２実施形態である排水ソケットの要部拡大平面断面図であり、図８は本発明の第２実施形態である排水ソケットにおける流路長を示す模式図である。
【００７８】
＜２．１．構造＞
本発明の第２実施形態である排水ソケット２００も、本発明の第１実施形態である排水ソケット１００と同じく便器本体Ｔに接続されている。
そして、図６に示すように、排水ソケット２００は、本発明の第１実施形態である排水ソケット１００と同じく、入口側屈曲管部材２１０、平行管部材２２０、出口側屈曲管部材２３０の３部材により構成されている。
入口側屈曲管部材２１０については、本発明の第１実施形態である排水ソケット１００と同じ部材を使用するため、詳しい説明を省略する。
出口側屈曲管部材２３０は、側面視で略Ｌ字状の部材であり、後述する平行管部材２２０から流入した洗浄水の向きを鉛直方向から鉛直下方に偏向する。
【００７９】
入口側屈曲管部材２１０の入口から出口側屈曲管部材２３０のソケット出口２３３までを繋ぐ流路を主流路ＭＳとする。
【００８０】
＜２．２．平行管部材の構造＞
図６に示すように、平行管部材２２０は水平方向に延びる管材であり、入口側屈曲管部材２１０と、出口側屈曲管部材２３０の入口部２３１とを接続している。
【００８１】
そして、平行管部材２２０は、主流路ＭＳの一部を形成する流路部２２１と、この流路部２２１の左右方向側部に形成された側方拡張部２２２を有している。
従来、排水ソケットの側方には水洗大便器の袴部があるのみで、排水ソケットと水洗大便器の袴部との間の距離は排水ソケットと水洗大便器のボウル部やトラップ部との間の距離より大きく、排水ソケットの側方はデットスペースとみなされていた。
そこで本実施形態では、このデッドスペースに着目し、平行管部材２２０の側部に側方拡張部２２２を設けた。
【００８２】
図６及び図７に示すように、側方拡張部２２２の平面視ほぼ中央には、平面視で角丸四角形状の中実領域２２２ｃが形成されており、この中実領域２２２ｃは側方拡張部２２２の天井面と底面とを接続している。
したがって、側方拡張部２２２の側壁面と中実領域２２２ｃとの間には空間が形成され、この空間が分流路ＤＳとなる。
【００８３】
ここで、側方拡張部２２２と流路部２２１との境界面に着目すると、この境界面は中実領域２２２ｃにより二分されており、後方側が入口（側方拡張部入口）２２２ａとなり、前方側が出口（側方拡張部出口）２２２ｄとなる。
【００８４】
側方拡張部２２２の入口２２２ａの開口方向Ｍは、主流路ＭＳに対して直交している。
また、入口２２２ａには、流路部２２１と側方拡張部２２２とを滑らかに接続する曲面状のガイド面（ガイド）２２２ｂが形成されている。
さらに、側方拡張部２２２の出口２２２ｄの開口方向Ｎも、側方拡張部２２２の入口２２２ａの開口方向Ｍと同様に主流路ＭＳに対して直交している。
【００８５】
＜２．３．洗浄水の挙動＞
次に図７を用いて、本発明の第２実施形態である排水ソケット２００における洗浄水の挙動について説明する。
なお、排水ソケット２００は、左右方向の中心線Ａ−Ａを中心にして左右対称であるため、片側（右側）のみ流線を示す。
【００８６】
＜２．３．１．先行洗浄水の挙動＞
まず、先行洗浄水の挙動について説明する。
図７に示すように、水平管部材２００の中央（Ａ−Ａ線）付近に流入した洗浄水Ｗｃは、出口側屈曲管部材２３０に向かって直進する。
【００８７】
次に、水平管部材２００の中央（Ａ−Ａ線）付近から最も遠い位置（換言すると最もガイド面２２２ｂに近い位置）を流れる洗浄水Ｗｏの挙動について説明する。
図７に示すように、Ａ−Ａ線から最も遠い位置を流れる洗浄水Ｗｏは、コアンダ効果によりガイド面（ガイド）２２２ｂに引き寄せられ、流れの方向がガイド面２２２ｂ側に偏向され、側方拡張部２２２に流入する。
【００８８】
次に、水平管部材２００の中央（Ａ−Ａ線）付近から最も遠い位置を流れる洗浄水ＷｏとＡ−Ａ線付近を流れる洗浄水Ｗｃとの間を流れる洗浄水Ｗ１の挙動について説明する。
洗浄水Ｗ１もガイド面２２２ｂにより、ガイド面２２２ｂの表面の湾曲に対応して偏向され、側方拡張部２２２に流入する。
【００８９】
以上説明したように、先行洗浄水は、一部が出口側屈曲管部材２３０に向かって流れるものと、ガイド面２２２ｂ側に偏向された後、側方拡張部入口２２２ａから側方拡張部２２２へ分流されるものに大別される。
【００９０】
＜２．３．２．汚物を含む洗浄水の挙動＞
続いて、汚物Ｅを含む洗浄水の挙動について説明する。
図７に示すように、水平管部材２００の中央（Ａ−Ａ線）付近に流入した汚物Ｅを含む洗浄水Ｗｃは、出口側屈曲管部材２３０に向かって直進する。
次に、水平管部材２００の中央（Ａ−Ａ線）付近から最も遠い位置を流れる洗浄水ＷｏおよびＡ−Ａ線付近を流れる洗浄水Ｗｃとの間を流れる洗浄水Ｗ１については、先行洗浄水の挙動と同一であり、一部が分流洗浄水として側方拡張部２２２内に流入する。
側方拡張部２２２内に流入した分流洗浄水の挙動は先行洗浄水の挙動と同一である。
【００９１】
なお、汚物Ｅが連通路１３２ａよりも下流側に到達したタイミングで、分流洗浄水は側方拡張部出口２２２ｄから流路部２２１に流出する。
すなわち、側方拡張部２２２は、主流路ＭＳから分岐した後に主流路ＭＳに再合流する分流路ＤＳを形成している。
【００９２】
＜２．３．３．背負い水の挙動＞
続いて、汚物Ｅより後に流れる背負い水（特に便器本体から供給される背負い水）の挙動について説明する。
水平管部材２００の中央（Ａ−Ａ線）付近に流入した洗浄水Ｗｃ、水平管部材２００の中央（Ａ−Ａ線）付近から最も遠い位置を流れる洗浄水ＷｏおよびＡ−Ａ線付近を流れる洗浄水Ｗｃとの間を流れる洗浄水Ｗ１、先行洗浄水の挙動と同一であり、一部が分流洗浄水として側方拡張部２２２内に流入する。
側方拡張部２２２内に流入した分流洗浄水の挙動は先行洗浄水の挙動と同一である。
【００９３】
＜２．４．各部位の機能＞
一般に水は自身の粘性により、流路底面との間で速度勾配を有している。この速度勾配により、水は流れ方向以外の方向にも拡散する性質がある。
そこで、洗浄水の流れ方向（すなわち主流路ＭＳ）に対して側方拡張部入口２２２ａの開口向きを垂直に形成すると、洗浄水が側方拡張部入口２２２ａに分流洗浄水として分流される。
したがって、側方拡張部入口２２２ａは、分流手段Ｄとして機能する。
【００９４】
さらに、ガイド面２２２ｂは洗浄水を偏向させ側方拡張部２２２へ導いている。
したがって、ガイド面２２２ｂも、分流手段Ｄとして機能する。
【００９５】
また、含まれる汚物が相対的に第１の洗浄水よりも少ない第２の洗浄水は分流路ＤＳを通って、主流路ＭＳを流れる汚物を相対的に多く含む第１の洗浄水と合流する。
したがって、側方拡張部出口２２２ｄは合流手段Ｃとして機能する。
また、側方拡張部出口２２２ｄの終端が合流部Ｊである。
【００９６】
ここで、図８を用いて本発明の第２実施形態である排水ソケット２００の流路長について説明する。
図８に示すように、主流路ＭＳの流路長ＬＭは、便器本体Ｔのトラップ出口Ｔｏから側方拡張部入口２２２ａとの合流地点までの距離Ｌ１と、側方拡張部入口２２２ａとの合流地点からソケット出口までの距離Ｌ２との和で表される（すなわち、ＬＭ＝Ｌ１＋Ｌ２）。
一方、便器本体Ｔのトラップ出口Ｔｏから建物配管Ｐ（ソケット出口２３３）までを連通すると共に途中で分流路ＤＳを経由する流路を副流路ＳＳと定義した場合、副流路ＳＳの流路長ＬＳは、主流路ＭＳの流路長ＬＭはソケット入口（図示せず）から側方拡張部入口２２２ａとの合流地点までの距離Ｌ１と、分流路ＤＳの距離Ｌ３と、側方拡張部出口２２２ｄからソケット出口までの距離Ｌ２２の和で表される（すなわち、ＬＳ＝Ｌ１＋Ｌ３＋Ｌ２２）。
したがって、主流路ＭＳの流路長ＬＭと副流路ＳＳの流路長ＬＳとを比較すると、副流路ＳＳの流路長ＬＳの方がＬ３−Ｌ２１だけ、流路長が長い。
【００９７】
また、分流洗浄水（第２の洗浄水）が側方膨張部２２２を通ることで、主流路ＭＳを流れる第１の洗浄水との合流タイミングが調整される、と換言することができる。
したがって、側方膨張部２２２が合流タイミング調整手段ＣＴＡとして機能する。
【００９８】
上述のように分流路ＤＳおよび副流路ＳＳを定義したことにより、分流路ＤＳの入口ＤＳｉ（すなわち、側方拡張部入口２２２ａ）が、分流路ＤＳの出口ＤＳｏ（すなわち、連通路２２２ｄ）より上流側に配置されている。
また、分流路ＤＳは側方膨張部２２２内部に形成されており、側方膨張部２２２は管状であるため、分流路ＤＳは管部材により形成されていると換言することができる。
さらに、分流路ＤＳは主流路ＭＳの左右方向における側方には位置されている。
【００９９】
また、分流路ＤＳの入口（側方拡張部入口２２２ａ）の開口方向Ｍは、主流路ＭＳに対して直交している。
図７に示すように、分流路ＤＳの出口ＤＳｏ（すなわち、連通路２２２ｄ）の開口方向Ｎは、主流路ＭＳにおける流れの向きと直交している。
これにより、主流路ＭＳから分流路ＤＳの出口ＤＳｏに向かって洗浄水が流入しにくくなっている。
【０１００】
また、分流路ＤＳの入口ＤＳｉ（側方拡張部入口２２２ａ）の高さは、分流路ＤＳの出口ＤＳｏ（側方拡張部出口２２２ｄ）の高さ以上となるように形成されている。
さらに、分流路ＤＳの内部は側方拡張部出口２２２ｄに向かって下り傾斜となっている。
【０１０１】
また、前述のように、一般に水は自身の粘性により、流路底面との間で速度勾配を有している。
この速度勾配により、水は流れ方向以外の方向にも拡散する性質がある。
一方で、汚物は水に比べて質量が大きいため、慣性を有しており、水よりも直進性が高いという性質がある。
側方拡張部２２２への汚物の進入を抑制するために、この性質を利用して側方拡張部２２２の入口（側方拡張部入口）２２２ａの開口方向Ｍを汚物が流れる主流路ＭＳと直交する方向にした。
すなわち、側方拡張部入口２２２ａは汚物進入抑制手段Ｒとして機能する。
【０１０２】
さらに、中実領域２２２ｃが形成されているため、側方拡張部入口２２２ａの幅が狭まられており、側方拡張部入口２２２ａへの汚物進入を抑制する機能を果たしている。
すなわち、中実領域２２２ｃも汚物進入抑制手段Ｒとして機能する。
【０１０３】
＜２．５．第２実施形態の変形例＞
例えば、本実施形態においては、側方拡張部２２２が主流路ＭＳに対して左右それぞれに位置されているが、左方もしくは右方の片方のみに配置するものであってもよい。
また、左右それぞれの側方拡張部２２２が前後にずれていてもよい。
【０１０４】
本実施形態においては、側方拡張部入口２２２ａの開口方向Ｍは主流路ＭＳに対して直交していたが、主流路ＭＳの上流側に向けて開口してもよい（すなわち、側方拡張部２２２の入口２２２ａの開口方向Ｍが主流路ＭＳと交差する。）。
【０１０５】
本実施形態においては、側方拡張部出口２２２ｄの開口方向Ｎは主流路ＭＳに対して直交していたが、主流路ＭＳの下流側に向けて開口してもよい（すなわち、側方拡張部出口２２２ｄの開口方向Ｎが主流路ＭＳと交差する。）。
【０１０６】
本実施形態においては、分流洗浄水減速流路ＤＳの入口ＤＳｉを平行管部材２２０に設けたが、入口側屈曲管部材２１０に設けてもよい。
【０１０７】
＜２．６．作用効果＞
このようにして得られた本発明の第２実施形態である排水ソケット２００は、便器本体Ｔのトラップ出口Ｔｏから供給された汚物Ｅを含む洗浄水を、汚物Ｅを相対的に多く含む第１の洗浄水と、第１の洗浄水よりも含まれる汚物Ｅが相対的に少ない第２の洗浄水とに分流する分流手段Ｄと、第１の洗浄水と第２の洗浄水とを合流部Ｊで合流させる合流手段Ｃと、分流手段Ｄによって同じタイミングで分流された第１の洗浄水と第２の洗浄水のうち、第２の洗浄水の方が第１の洗浄水よりも遅れて合流部Ｊに到達するよう調整する合流タイミング調整手段ＣＴＡと、を備えていることにより、分流手段Ｄによって汚物Ｅが相対的に多い第１の洗浄水と同じタイミングで分流された汚物Ｅが相対的に少ない第２の洗浄水を、第１の洗浄水よりも遅らせて合流させる。
すなわち、汚物Ｅに先行する先行洗浄水を遅らせて、汚物Ｅに後行する背負い水に合流可能となるため、先行洗浄水を汚物搬送に利用でき、節水と高い汚物搬送性能を両立させることができる。
【０１０８】
また、副流路ＳＳの流路長が、主流路ＭＳの流路長より長いことにより、副流路ＳＳに流入した分流洗浄水は、分流路ＤＳを経由することで主流路ＭＳを通る汚物Ｅよりも長い流路を通るため、分流洗浄水の主流路ＭＳに合流するタイミングが調整されて、副流路ＳＳに流入した分流洗浄水が背負い水に転換され、汚物Ｅの搬送性能を向上させることができる。
また、分流路ＤＳは先行洗浄水を背負い水に転換するための手段であり、分流路ＤＳに汚物Ｅが進入してしまうと、汚物Ｅも合流タイミングが調整されてしまうため、先行洗浄水を背負い水に転換できない。
そこで、分流路ＤＳへの汚物Ｅの進入を抑制する汚物進入抑制手段Ｒが形成されていることにより、確実に分流路ＤＳへの汚物Ｅの進入が抑制されるため、確実に背負い水の量を増加させることができる。
【０１０９】
さらに主流路ＭＳと連通する分流路ＤＳの入口（分流路入口ＤＳｉ）が、主流路ＭＳと連通する分流路ＤＳの出口（分流路出口ＤＳｏ）より主流路ＭＳの上流側に配置されていることにより、主流路ＭＳを流れる洗浄水が副流路ＳＳ内に流入する際の流路抵抗が少なくなり、副流路ＳＳへの流入時の分流洗浄水の流速を副流路ＳＳへの流入直前の先行洗浄水の流速に保てるため、分流路ＤＳをより長く形成することができる。
【０１１０】
また、分流路ＤＳが、主流路ＭＳを形成する管部材の側方に配置されていることにより、水洗大便器ＦＴとの隙間が比較的大きい主流路ＭＳの側方空間を活用するため、分流路ＤＳをより長く形成することができる。
【０１１１】
さらに分流路ＤＳの分流路入口ＤＳｉが、先行洗浄水の流れ方向と直交する方向に向けて開口していることにより、先行洗浄水が主流路ＭＳ内を拡散して分流路ＤＳの分流路入口ＤＳｉに行き渡る一方で、汚物Ｅは自らの慣性力のため洗浄水の流れに沿って主流路ＭＳを移動するため、簡便な方法で分流路ＤＳへの汚物の進入を防ぐことができる。
【０１１２】
さらに分流手段Ｄが、コアンダ効果により洗浄水を偏向するガイド面（ガイド）２２２ｂであることにより、洗浄水のみがガイド面２２２ｂに引き寄せられるため、より効率的に分流路ＤＳに先行洗浄水の少なくとも一部を誘導することができる。
【０１１３】
また、分流路ＤＳの分流路入口ＤＳｉの下端の高さが、分流路ＤＳの分流路出口ＤＳｏの下端の高さ以上であり、分流路ＤＳの内部が、下り傾斜あるいは水平な底面によって形成されていることにより、分流路ＤＳ内で上り傾斜が存在しないため、分流路ＤＳ内で下に凸な箇所が形成されず、分流路入口ＤＳｉから分流路ＤＳに入った水をすべて分流路出口ＤＳｏに伝えることができる。
【０１１４】
＜３．変形例＞
以上、本発明を実施するための形態について説明したが、本発明は上記に限定されるものではない。
【０１１５】
例えば、分流路ＤＳ内にリブを設けたり、底面を荒く形成したりする減速手段を設けて合流タイミング調整手段ＣＴＡの一つとしてもよい。
このように合流タイミング調整手段ＣＴＡが、分流洗浄水を減速させる減速手段を分流路ＤＳ内に有していることにより、分流路ＤＳ内で分流洗浄水が減速されて、分流洗浄水が主流路ＭＳに戻るタイミングが遅れるため、分流洗浄水を確実に背負い水に転換させることができる。
【０１１６】
また、便器本体の種類として、「洗い落とし式」や「サイホン式」、「サイホンジェット式」等が存在するが、いずれの便器であっても良い。
【符号の説明】
【０１１７】
１００、  ２００    ・・・  排水ソケット
１１０、  ２１０    ・・・  入口側屈曲管部材
１１１、            ・・・  垂直管路領域
１１２、            ・・・  屈曲領域
１２０、  ２２０    ・・・  平行管部材
２２１    ・・・  流路部
２２２    ・・・  側方拡張部
２２２ａ  ・・・  貯水部入口
２２２ｂ  ・・・  ガイド面（ガイド）
２２２ｃ  ・・・  中実領域
２２２ｄ  ・・・  貯水部出口
１３０、  ２３０    ・・・  出口側屈曲管部材
１３１、  ２３１    ・・・  入口部
１３２              ・・・  側方拡張部
１３２ａ            ・・・  連通路
１３２ｂ            ・・・  側方拡張部入口
１３３、  ２３３、  ・・・  ソケット出口
１３４              ・・・  ガイド
１３５              ・・・  突出部
ＦＴ                ・・・  水洗大便器
Ｔ                ・・・  便器本体
Ｔｂ              ・・・  ボウル部
Ｔｔ              ・・・  トラップ部
Ｔｏ              ・・・  トラップ出口
Ｔｓ              ・・・  袴部
Ｐ                ・・・  建物配管
ＭＳ                ・・・  主流路
ＤＳ                ・・・  分流路
ＤＳｉ              ・・・  分流路入口
ＤＳｏ              ・・・  分流路出口
ＳＳ                ・・・  副流路
Ｃ                ・・・  合流手段
Ｄ                ・・・  分流手段
ＣＴＡ              ・・・  合流タイミング調整手段
Ｊ                ・・・  合流部
Ｒ                ・・・  汚物進入抑制手段
Ｗ                ・・・  洗浄水
Ｅ                ・・・  汚物
Ｆ                ・・・  床
Ｍ、Ｎ            ・・・  開口方向
【図１】
2018044428.tif 000003
【図２】
2018044428.tif 000004
【図３】
2018044428.tif 000005
【図４】
2018044428.tif 000006
【図５】
2018044428.tif 000007
【図６】
2018044428.tif 000008
【図７】
2018044428.tif 000009
【図８】
2018044428.tif 000010